(57)【要約】【課題】センター飾り等のユニット役物において、その下部内方に比較的大きな空間を確保させ得るように構成した遊技機を提供する。【解決手段】パチンコ機に、前枠体２３ａ及び後枠体２３ｂからなるセンター飾りを備えさせ、該後枠体２３ｂに、一対の張出し部１０２と、該張出し部１０２に外周壁部材１０３ａ，１０３ｃを介して連結する背面部１０４と、背面部１０４の上側部分で構成される装着部１６１と、背面部１０４の背面で画像表示装置を固定する固定用突起１１１と、該画像表示装置を露出する開口部１０５と、背面部１０４の下側部分にて前枠体２３ａとの間に装着されるステージＳ等の被装着部材を収納し得る収納部１６２と、を有する。【選択図】図６
2007222512.tif 000002
【特許請求の範囲】
【請求項１】
遊技盤の前面及び背面から該遊技盤を挟む形で組み付けられる一対の前枠部及び後枠部からなるユニット役物と、該ユニット役物に形成される開口から画面を露出させる図柄表示装置と、を遊技領域に備え、該遊技領域に遊技球を打ち出して遊技してなる遊技機において、
前記後枠部は、
前記遊技盤の背面における左右幅方向の一側及び他側に固定される一対の鍔部と、
前記一対の鍔部に前記遊技盤から離れる方向に張り出す形で一体に形成された立ち上がり部を介して連結している枠部と、
前記遊技に係る装着部材が装着された状態にて、前記枠部の上側部分で構成される装着部と、
前記枠部の背面で前記図柄表示装置を固定する固定部と、
前記枠部により囲われ、前記固定部に固定された前記図柄表示装置を露出する開口部と、
前記枠部の下側部分が、前記開口部から前記図柄表示装置を露出して前記一対の鍔部を前記遊技盤に固定した状態にて、前記前枠部との間に装着される被装着部材を収納し得る収納部と、を有してなる、
ことを特徴とする遊技機。
【請求項２】
前記一対の鍔部は、それぞれ前記遊技盤背面における左右端部近傍にて固定される、
請求項１に記載の遊技機。
【請求項３】
前記枠部は、該枠部背面に格子状に配設されるリブを有してなる、
請求項１又は２に記載の遊技機。
【請求項４】
前記固定部は、前記図柄表示装置における被固定部とネジ止めされるボス部からなり、
該ボス部は、前記リブのうち前記枠部背面の上端から下端まで縦方向にひと続きに形成されるリブと一体に形成されてなる、
請求項３に記載の遊技機。
【請求項５】
前記枠部は、該枠部背面に少なくとも、前記ボス部が一体に形成された第１のリブと、該第１のリブと平行で且つ最近の該枠部背面の縁部に沿うように配設される第２のリブとを有し、
前記枠部背面に格子状に配設された前記リブのうち、横方向に向かうリブには、前記第１のリブと前記第２のリブとの間において、該リブの高さを低くする切り欠き部が形成されてなる、
請求項４に記載の遊技機。
【発明の詳細な説明】
【技術分野】
【０００１】
本発明は、パチンコ機等の遊技機に係り、詳しくはステージを有するセンター飾り等のユニット役物を遊技盤に装着する装着構造に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技領域の中央部分にセンター飾りを備え、このセンター飾りの側部にワープ導入口を備え、このワープ導入口から入球した遊技球を始動チャッカー側に導くように転動させるステージを備えたものが存在する（特許文献２参照）。
【０００５】
上記のようなセンター飾りを有するパチンコ機の中には、センター飾りを前ベース枠と後ベース枠とから構成し、前ベース枠に後ベース枠を背面から取り付けて一体とした状態で両者を同時に遊技盤に組み付けるものが存在する（特許文献３参照）。また、センター飾りの近傍位置に、液晶表示盤（いわゆる液晶表示装置）を保護する液晶表示盤保護ケースといった枠体を嵌め込むものがある（特許文献４参照）。この液晶表示盤保護ケースには、該液晶表示盤保護ケースにおける開口部の内周縁部に液晶表示盤が嵌め込まれ、そのまま遊技盤にビス等によって取り付けられる。
【０００６】
【特許文献１】特開２００３−２３６２１０号公報
【特許文献２】特開２００１−３２７６７２号公報
【特許文献３】特開２００４−０５７２６５号公報
【特許文献４】特開２００１−１３７４９１号公報
【発明の開示】
【発明が解決しようとする課題】
【０００７】
ところで、上記特許文献３に記載されるようなパチンコ機は、センター飾りが前後に分割可能な枠体によって構成され、前側の枠体と後側の枠体とを一体にした状態で遊技盤に組み付ける構造となっている。センター飾りがこのような構造となっている場合には、後側の枠体は、遊技盤前面側から開口部内をくぐらせるようにして組み付けられるのが一般的となる。したがって、このような後側の枠体の大型化を所望するような場合には、遊技盤における開口部をも共に大型化させる必要が生じるなど、その設計や製造時に発生する作業は非常に煩雑なものとなり得る。
【０００８】
一方、上記特許文献４に記載されるようなパチンコ機は、センター飾りの背面側から、液晶表示盤保護ケースが取り付けられるものとなっている。しかし、該液晶表示盤保護ケースは、その四隅部近傍から突出される取付部を有したやや厚みのある直方体形状に形成されてはいるものの、その直方体形状の内方で且つ上下部等には空間を設ける余地は無く、遊技に係る各種部材等の配設領域を確保することは困難なものとなっている。
【０００９】
そこで本発明は、センター飾り等のユニット役物において、その下部内方に比較的大きな空間を確保させ得るように構成し、もって上述した課題を解決した遊技機を提供することを目的とするものである。
【課題を解決するための手段】
【００１０】
請求項１に係る本発明は（例えば図１ないし図１２参照）、遊技盤（３）の前面及び背面から該遊技盤（３）を挟む形で組み付けられる一対の前枠部（２３ａ）及び後枠部（２３ｂ）からなるユニット役物（２３）と、該ユニット役物（２３）に形成される開口から画面（３５ａ）を露出させる図柄表示装置（３５）と、を遊技領域（３ａ）に備え、該遊技領域（３ａ）に遊技球（Ｂａ）を打ち出して遊技してなる遊技機（１）において、
前記後枠部（２３ｂ）は、
前記遊技盤（３）の背面における左右幅方向の一側及び他側に固定される一対の鍔部（１０２）と、
前記一対の鍔部（１０２）に前記遊技盤（３）から離れる方向に張り出す形で一体に形成された立ち上がり部（１０３ａ，１０３ｃ）を介して連結している枠部（１０４）と、
前記遊技に係る装着部材（例えばＭ１）が装着された状態にて、前記枠部（１０４）の上側部分で構成される装着部（１６１）と、
前記枠部（１０４）の背面で前記図柄表示装置（３５）を固定する固定部（１１１）と、
前記枠部（１０４）により囲われ、前記固定部（１１１）に固定された前記図柄表示装置（３５）を露出する開口部（１０５）と、
前記枠部（１０４）の下側部分が、前記開口部（１０５）から前記図柄表示装置（３５）を露出して前記一対の鍔部（１０２）を前記遊技盤（３）に固定した状態にて、前記前枠部（２３ａ）との間に装着される被装着部材（例えばＳ）を収納し得る収納部（１６２）と、を有してなる、
ことを特徴とする遊技機（１）にある。
【００１１】
請求項２に係る本発明は（例えば図６参照）、前記一対の鍔部（１０２）は、それぞれ前記遊技盤（３）背面における左右端部近傍にて固定される、
請求項１に記載の遊技機（１）にある。
【００１２】
請求項３に係る本発明は（例えば図６及び図７参照）、前記枠部（１０４）は、該枠部（１０４）背面に格子状に配設されるリブ（１１０）を有してなる、
請求項１又は２に記載の遊技機（１）にある。
【００１３】
請求項４に係る本発明は（例えば図６及び図７参照）、前記固定部（１１１）は、前記図柄表示装置（３５）における被固定部とネジ止めされるボス部（１１１）からなり、
該ボス部（１１１）は、前記リブ（１１０）のうち前記枠部（１０４）背面の上端から下端まで縦方向にひと続きに形成されるリブ（１１０ａ）と一体に形成されてなる、
請求項３に記載の遊技機（１）にある。
【００１４】
請求項５に係る本発明は（例えば図６及び図７参照）、前記枠部（１０４）は、該枠部（１０４）背面に少なくとも、前記ボス部（１１１）が一体に形成された第１のリブ（１１０ａ）と、該第１のリブと平行で且つ最近の該枠部背面の縁部に沿うように配設される第２のリブ（１１０ａ）とを有し、
前記枠部（１０４）背面に格子状に配設された前記リブ（１１０）のうち、横方向に向かうリブ（１１０ｂ）には、前記第１のリブ（１１０ａ）と前記第２のリブ（１１０ａ）との間において、該リブ（１１０ｂ）の高さを低くする切り欠き部（１６０）が形成されてなる、
請求項４に記載の遊技機（１）にある。
【００１５】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１６】
請求項１に係る本発明によると、前枠部及び後枠部からなるユニット役物を備えた遊技機において、後枠部に、一対の鍔部と、該一対の鍔部に立ち上がり部を介して連結している枠部と、枠部の上側部分で構成される装着部と、枠部の背面で前記図柄表示装置を固定する固定部と、図柄表示装置を露出する開口部と、枠部の下側部分にて前枠部との間に装着される被装着部材を収納し得る収納部と、を有するようにさせる。このように、後枠部を該後枠部の左右端部にて遊技盤に固定するような構造とすることにより、後枠部の上部及び下部の位置に、各種部材を配設できるような空間領域を形成させることができる。
【００１７】
また、正面視におけるユニット役物の大きさ（つまり前枠部の大きさ）は変えずに、遊技盤背面側の後枠部内方における空間容量を増大させることができることにより、該後枠部に各種部材を配設可能な装着部や収納部等の空間領域を形成することができる。これにより、従来において遊技盤の背面側に配設させることが困難とされた大きさの各種部材を配設させることができるようになると共に、前枠部に配設させていた各種部材を後枠部に配設させるように設計変更することができるようになるなど、ユニット役物における設計の幅を広げることができるものとなる。
【００１８】
請求項２に係る本発明によると、一対の鍔部が、それぞれ遊技盤背面における左右端部近傍にて固定されるので、後枠部を、遊技盤の左右幅一杯の大きさに形成して固定でき、その左右幅の全体を用いた空間領域を形成することができる。
【００１９】
請求項３に係る本発明によると、枠部が、該枠部背面に格子状に配設されるリブを有してなるので、後枠部を構成する枠部の強度を増すことができ、後枠部におけるねじれや歪み等を抑制できる。
【００２０】
請求項４に係る本発明によると、固定部が、図柄表示装置における被固定部とネジ止めされるボス部からなり、該ボス部が、リブのうち枠部背面の上端から下端まで縦方向にひと続きに形成されるリブと一体に形成されてなるので、固定部を、図柄表示装置を固定させ易いボス形状として形成できると共に、該ボス形状の固定部の荷重強度を増し、図柄表示装置を堅固に固定させることができる。
【００２１】
請求項５に係る本発明によると、枠部が、該枠部背面に少なくとも、ボス部が一体に形成された第１のリブと、該第１のリブと平行で且つ最近の該枠部背面の縁部に沿うように配設される第２のリブとを有し、枠部背面に格子状に配設されたリブのうち、横方向に向かうリブには、第１のリブと第２のリブとの間において、該リブの高さを低くする切り欠き部が形成されてなるので、図柄表示装置の荷重による応力が加わる第１のリブと、後枠部全体を支持することによる応力が加わる第２のリブとの間の、応力集中が生じない領域におけるリブの高さを低くする切り欠き部を形成させることができる。これにより、該切り欠き部の空間領域にハーネスを通すなど、組み付け時における空間領域を節約できると共に、組み付けや保守・点検の作業を行い易くさせることができる。
【発明を実施するための最良の形態】
【００２２】
以下、本発明に係る遊技機の実施の形態として、遊技場等に設置されるパチンコ機を図面に沿って説明する。図１は、本実施形態におけるパチンコ機の外部構造を示す正面図、図２は、本パチンコ機に備えた遊技盤を単体で示す正面図である。なお、後述する各実施の形態では、本発明の遊技機を所謂１種１種のパチンコ機として述べるが、本発明はこれに限らず、他の種別のパチンコ機にも適用可能であることは勿論である。
【００２３】
本実施形態のパチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でセンターアタッカー４又は右アタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。なお、本実施の形態において、後述する第１及び第２抽選手段８３，８４それぞれの抽選で得られる大当たりは、出玉の多い第１大当たりでの確変当たり態様と通常当たり態様、及び、出玉の少ない第２大当たりでの確変当たり態様と通常当たり態様のいずれかである。
【００２４】
本パチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上方及び下方左右にはスピーカー（図示せず）を有する放音装置１２が配設されている。また、ガラス枠１０における右側部には、前扉７を筐体６側に施錠又は解放するための施錠装置１３が配設されている。なお、筐体６及び前扉７等から遊技機本体が構成されている。
【００２５】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２６】
また、皿ユニット１６の右部には、発射装置（図示せず）を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。なお、図１中の符号１４は、発射ハンドル２の操作で発射された遊技球を遊技領域３ａに導くガイドレールを示している。
【００２７】
図１及び図２に示すように、遊技領域３ａの中央部にはセンター飾り（ユニット役物）２３が配置されており、該センター飾り２３の中央部には開口部３６が形成され、該開口部３６の下側にはステージ（被装着部材）Ｓが形成されている。遊技盤３の中央部には、少なくとも上記開口部３６より大きい不図示の開口部が形成されており、この開口部にその前後から遊技盤３を挟んで互いに接合するようにして、上記センター飾り２３が、予め設定された基準位置に位置決めされた状態で装着されている。また遊技領域３ａには、全体としてセンター飾り２３の左側に位置する遊技球の第１流下経路５６ａと、センター飾り２３の右側に位置する遊技球の第２流下経路５６ｂとが形成されている。
【００２８】
遊技盤３には、画像表示装置（図柄表示装置）３５が、開口部３６から画面３５ａを露出させた状態で遊技盤裏側から装着されている。センター飾り２３の下部左方には、大当たり抽選に寄与しない一般の入賞が行われる三連の入賞口２５が配設されており、センター飾り２３の下方には、第１始動チャッカー２７とセンターアタッカー４とが順次配設されている。第１始動チャッカー２７の直上方には、所謂命釘としての一対の障害釘３０が打ち込まれている。センターアタッカー４の左右には、特別図柄表示装置２４及び状態表示装置２９がそれぞれ配設されている。特別図柄表示装置２４の上部には、４個のＬＥＤからなる大当たり抽選保留表示装置２４ａが配置されている。
【００２９】
センターアタッカー４の下方には、発射ハンドル２の操作で遊技領域３ａに打ち出された遊技球を遊技盤３の裏面に排出するためのアウト口６６が設けられている。上記入賞口２５及びセンターアタッカー４は、主に第１流下経路５６ａを流下してくる遊技球を入賞させる配置となっている。センターアタッカー４の前方には、センターアタッカー４の開閉扉４ａ（図４参照）から所定距離離れるように半透明カバー３２が配置されており、右アタッカー５の前方には、右アタッカー５の開閉扉５ａ（図４参照）から所定距離離れるように半透明カバー３４が配置されている。また、センター飾り２３は、第１流下経路５６ａを流下してくる遊技球を導入してステージＳに導き入れるワープ導入口３７を有しており、このワープ導入口３７を臨む位置には、上下一対の障害釘３９が打ち込まれている。
【００３０】
一方、第２流下経路５６ｂ側には、遊技領域３ａの上下方向の中央部に、普通図柄抽選の契機となる入球が行われる普通図柄作動ゲート３３が配設されており、該普通図柄作動ゲート３３の下方には、大当たり抽選に寄与しない一般の入賞が行われる１つの入賞口２６が配設されている。第２流下経路５６ｂの経路に沿った入賞口２６の左下方には、第２始動チャッカー２８が配設されており、該第２始動チャッカー２８の左下方には、第２始動チャッカー２８への入賞に基づいて行われた大当たり抽選に当選した際に開放する右アタッカー５が配設されている。
【００３１】
第１及び第２始動チャッカー２７，２８は、それぞれ大当たり抽選実行の契機となり得る入賞が行われるものであり、このうち第２始動チャッカー２８は、始動チャッカー開閉ソレノイド６９（図１１参照）によって、開放位置と閉止位置とに開閉動作するように作動させられる。第２始動チャッカー２８は開閉式の所謂チューリップとして形成されており、第１始動チャッカー２７は、チューリップではない非作動な入賞口として形成されている。
【００３２】
センターアタッカー４及び右アタッカー５は、それぞれ大当たり抽選で当選した際に入賞が行われるものであり、センターアタッカー４はセンターアタッカー開閉ソレノイド７０（図１１参照）によって、また右アタッカー５は右アタッカー開閉ソレノイド７１（図１１参照）によって、開放位置と閉止位置とに開閉動作するように作動させられる。そして、センターアタッカー４は、第１始動チャッカー２７への入賞に基づいて第１抽選手段８３で行われた大当たり抽選で当選した際に上記開閉動作を行い、右アタッカー５は、第２始動チャッカー２８への入賞に基づいて第２抽選手段８４で行われた大当たり抽選で当選した際に上記開閉動作を行う。センターアタッカー４は、大当たり中、遊技球を入賞させる際、１回の開放で９個の入球（すなわち、９カウント）を完了した時点で閉じ、この開閉動作を１５回（すなわち、１５ラウンド）繰り返すように構成される。右アタッカー５は、大当たり中、遊技球を入賞させる際、１回の開放で９個の入球を完了した時点で閉じ、この開閉動作を７回（すなわち、７ラウンド）繰り返すように構成される。なお、これらカウント数及びラウンド数は、９個や、１５回、７回等に限定されることはなく、必要に応じて適宜設定され得るものである。
【００３３】
遊技領域３ａにおけるセンター飾り２３の下方には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３７の周囲及びその上方側にも、遊技球を適宜散らし、或いは入球に導くようにするための障害釘３９を含む多数の障害釘が打ち込まれている。このような本パチンコ機１では、遊技領域３ａに打ち出された遊技球Ｂａを第１及び第２始動チャッカー２７，２８等に、ステージＳを介して入球させ又はステージＳを介さず直接入球させ得るように遊技が進められる。
【００３４】
なお、本実施形態における「ワープ導入」という語句は、遊技領域３ａに打ち出された遊技球を、当該遊技領域３ａの比較的下側に位置する不図示の道釘等を経ることなく、第１始動チャッカー２７の上に導くことを意味する概念である。また、上記「道釘」とは、遊技領域３ａにおいて第１始動チャッカー２７左右に打ち込まれた複数本の障害釘（図示せず）の列を意味するもので、上方から転動落下してきた遊技球を第１始動チャッカー２７方向に導く役割を担っている。
【００３５】
次に、センター飾り２３の構造について図３ないし図５を参照して詳細に説明する。図３は、吹き出し部材や照明パネルを画像表示装置の画面前側に進出させた状態の遊技盤３を示す正面図、図４は、遊技盤３を右斜め上方から見下ろした状態で示す斜視図、図５は、図３のＡ−Ａ線に沿って断面した状態で示す遊技盤３の平面断面図である。なお、図４では、図１ないし図３に記載した障害釘３０，３９は便宜上、図示を省略している。
【００３６】
すなわち、図３ないし図５に示すように、センター飾り２３は、開口部３６を中央部に有する略筒状の前枠体（前枠部）２３ａと、遊技盤３の前面側に固定された該前枠体２３ａに対して遊技盤３を介して背面側から位置決め固定された後枠体（後枠部）２３ｂと、を有しており、前枠体２３ａの周囲に、その複数箇所から外方に張り出すように形成されたブラケット部８を有している。それぞれのブラケット部８には、上記した各枠体２３ａ，２３ｂを遊技盤３に埋め込んだ形でネジ止めするために表裏貫通した孔８ａが形成されている。
【００３７】
センター飾り２３は、開口部３６の上方に照明装置３１を有し、開口部３６の左右内側に照明装置１１５を有し、開口部３６下方のステージＳ周辺に照明装置１１６を有している。照明装置３１は、複数の発光ダイオード（ＬＥＤ）１１７ａを実装した発光素子基板１１７からの光を、前枠体２３ａに設けられる光拡散部（いわゆるレンズ）を通して遊技盤３前面へと照射する。なお、図１ないし図４においては、該光拡散部を不図示とし、背面側に位置する発光素子基板１１７を透過して見せるように記載している。
【００３８】
また、照明装置１１５、例えば前枠体２３ａ右側面に配設された照明装置１１５は、後枠体２３ｂに設けられた発光素子基板７６（図９参照）に実装されたＬＥＤ７６ａからの光を、前枠体２３ａに設けられている光拡散部１１５ａを通して、開口部３６内方側や遊技盤３前面側へと照射する。図１の紙面左側に示す照明装置１１５は、後枠体２３ｂに設けられた不図示の発光素子基板に実装されたＬＥＤ（図示せず）からの光を、右側の上記証明装置１１５と同様の光拡散部１１５ａを通して、開口部３６内方や遊技盤３前面側へと照射する。また、照明装置１１６は、後枠体２３ｂに設けられた不図示の発光素子基板からの光を、前枠体２３ａに設けられている透明な光透過部１１６ａを通してステージＳ中央部から遊技盤３前面側へと照射する。
【００３９】
センター飾り２３は、その下部中央に放出口６７を有している。該放出口６７は、第１始動チャッカー２７の直上方に位置して、放出されて落下する遊技球Ｂａが一対の障害釘３０の間を通って第１始動チャッカー２７にほぼ確実に（つまり、９７〜９９％の高確率で）入賞し得るように位置決め形成されている。
【００４０】
また、センター飾り２３は、その後枠部２３ｂに、開口部３６の上部左右に延びるように設けられた上段レール９８（図６参照）と、開口部３６の略々中段部の左右に退避した状態で設けられた第１中段レール７９と、該第１中段レール７９に対して進退自在に設けられた第２中段レール７７と、上段レール９８及び各中段レール７７，７９にそれぞれ上部と下部を摺動可能に支持されて、画像表示装置３５の画面３５ａ下側を空けた状態で開口部３６の前側を左右方向にスライド移動するように支持された吹き出し部材６３，６４と、サブタイトル等が表面に記載された状態で内部に多数のＬＥＤ６５ｂ（図３参照）を有する演出用照明パネル６５と、を有している。これら吹き出し部材６３，６４及び演出用照明パネル６５は、ガタ吸収部材によってガタが吸収されるように構成されている。吹き出し部材６３，６４は、それぞれ画面３５ａに表示されるキャラクタの発する台詞（セリフ）等が遊技者側から視認可能となるように透明パネルを嵌め込んだ形に構成されている。
【００４１】
上記吹き出し部材６３，６４は、それぞれ、背面側に位置する画像表示装置３５の画面３５ａに表示されるキャラクタの台詞（セリフ）を視認可能に区画する透明パネル部６３ａ，６４ａを有している。演出用照明パネル６５は、タイトルを表示する表示部６５ａを有している。
【００４２】
センター飾り２３における開口部３６の下部に配置されたステージＳには、ワープ導入口３７から導入された遊技球を第１始動チャッカー２７に向けて落下させるための放出口６７を有している。ステージＳは、ワープ導入口３７から導入されて放出口４４から放出された遊技球を該ステージＳの図３の左側から右側に案内する第１案内路４８と、該第１案内路４８の中央部に設けられた太鼓橋状ブリッジ４９と、該太鼓橋状ブリッジ４９を右側に通過した遊技球をステージＳの後側に導く第２案内路５７と、該第２案内路５７に導かれた遊技球を放出口６７と該放出口６７とは異なる方向に振り分ける振り分け路（図示せず）と、太鼓橋状ブリッジ４９の下方に設けられた上記光透過部１１６ａと、を有している。センター飾り２３の左側には、ワープ導入口３７から導入した遊技球を放出口４４に案内する案内路４２が形成されている。
【００４３】
第１案内路４８上における太鼓橋状ブリッジ４９の左右には、ステージＳ前側に向かって左右にやや広がる形で下降する形状の凹部５４，５４が形成されている。右側の凹部５４の更に右側には、太鼓橋状ブリッジ４９を通過した遊技球を第２案内路５７側に導くための凹部５５が形成されている。第２案内路５７には、凹部５５から導入された遊技球を太鼓橋状ブリッジ４９の下方に導いて、放出口６７に連通する落下孔５８に落下させる導入溝（図示せず）と、該導入溝の左右に形成されて遊技球を第１始動チャッカー２７とは異なる方向に導く方向の傾斜面６１に導く導入溝（図示せず）とが形成されている。これら導入溝によって上記振り分け路が構成されている。
【００４４】
ステージＳにおける上記傾斜面６１の前側には、ステージＳから第１始動チャッカー２７の左右に落下させるための傾斜湾曲面６２，６２が形成されている。放出口６７の上部は、左右の傾斜湾曲面６２，６２から上方にせり上がるように形成されると共に、このせり上がり部分の中央には、ステージＳ上にありながら落下孔５８に落下せず、傾斜湾曲面６２，６２にも導かれなかった遊技球を案内して、第１始動チャッカー２７に向けて落下させるガイド溝６０が形成されている。このガイド溝６０も放出口６７と同様に、放出されて落下する遊技球Ｂａが障害釘３０の間を通って第１始動チャッカー２７にほぼ確実に（つまり、９７〜９９％の高確率で）入賞し得るように位置決め形成されている。
【００４５】
ここで、センター飾り２３の後部を形成する後枠体２３ｂについて、図６及び図７を参照して説明する。なお、図６は、遊技盤３に配設された状態における後枠体２３ｂを背面側から見た状態で示す背面図であり、装着したセンター飾り２３の配置構造を理解し易くするため、センター飾り２３の背面側に本来装備される画像表示装置３５やサブ制御基板３８等は図示を省略している。また、図６における遊技盤３を仮想線（二点鎖線）で記載することにより、該遊技盤３前面に配設される右アタッカー５等の主な装置と後枠体２３ｂとの位置関係を視認可能にしている。図７は、後枠体２３ｂにおける背面の一部を示すもので、（ａ）は背面部１０４の右側部を示す概略斜視図、（ｂ）は（ａ）の矢印Ｘ１方向から見た手前側の横リブ部１１０ｂの概略正面図である。なお、上記図７（ｂ）は、図７（ａ）における最も手前側に位置している横リブ部１１０ｂ（斜線で示した符号Ｘ２）のみを正面視にてしめした概略図となっている。
【００４６】
すなわち、後枠体２３ｂは、図６の正面視において外形が略々矩形形状を呈しており、該後枠体２３ｂの背面をなす背面部（枠部）１０４（図６の紙面手前側）の周縁には、右側・上側・左側・下側の順に紙面奥行き方向に向かう外周壁部材（立ち上がり部）１０３ａ、外周壁部材１０３ｂ、外周壁部材（立ち上がり部）１０３ｃ、外周壁部材１０３ｄが一体となって垂設されている。さらに、外周壁部材１０３ｂの上方には、外周壁部材１０３ｅが形成され、外周壁部材１０３ｂと外周壁部材１０３ｅとによって囲まれた領域として後述する装着部１６１が形成されている。さらに、外周壁部材１０３ａ，１０３ｃの左右側には、外側に張り出す一対の張出し部（鍔部）１０２が形成されることにより、後枠体２３ｂは平面断面視においてハット形（プレス加工の曲げ型の１つで、例えばシルクハットを縦に剪断したような形状）を呈するものとなっている。
【００４７】
外周壁部材１０３ａ〜１０３ｄと一体に形成された背面部１０４には、該背面部１０４が囲うように矩形状の開口部１０５が設けられ、前述した前枠体２３ａの開口部３６と前後方向に重なり合うことにより、設置時における画像表示装置３５の画面を露出させる。ここで、後枠体２３ｂの大きさは、その幅において遊技盤３の略々左右端部まで達し、上下高さ方向にあっては遊技領域３ａの高さにおける半分以上の長さを有することによって、前面側の前枠体２３ａを略々覆い隠すものとなっている。
【００４８】
一方、後枠体２３ｂの前面側四隅、つまり左右の張出し部１０２におけるそれぞれの上部及び下部には、前方（図６の紙面奥側）に向かう不図示の突起部が形成され、さらに該張出し部１０２には１２箇所のネジ挿入孔１０２ａが左右対向する位置にそれぞれ対をなすように配設されている。これにより、後枠体２３ｂは、その組み付けの際、上記突起部が遊技盤３の背面に設けられた不図示の凹部に係合されることで位置決めされ、その後ネジ挿入孔１０２ａがそれぞれネジ止めされることによって遊技盤３の背面に堅固に固着される。
【００４９】
上記ネジ挿入孔１０２ａは、張出し部１０２の最前部（図６の奥側）をなし且つネジ挿入孔１０２ａ近傍を囲う程度の狭小な平面部１０６に形成されている。この平面部１０６の外周縁には、図６の紙面手前方向に向かう壁部材１０７が形成され、さらに張出し部１０２にはこの壁部材１０７同士が一続きとなるような壁部が配設され、該張出し部１０２を複数に仕切ってなる箱型領域１０８が配設されている。ここで、背面部１０４の左右に垂設されている外周壁部材１０３ａ，１０３ｃは、上記箱型領域１０８の一部の壁面をなしつつ背面部１０４へと一続きに形成されている。そして、この箱型領域１０８の背面側からは、該外周壁部材１０３ａ，１０３ｃに向かって三角形状のリブ部１０９が形成され、後枠体２３ｂにおける左右部周辺の強度向上が図られるものとなっている。
【００５０】
また、背面部１０４の背面には、縦（上下）方向のリブである縦リブ部（リブ）１１０ａと、横（左右）方向のリブである横リブ部(リブ)１１０ｂとからなる、格子形状を呈するリブ部(リブ)１１０が全面に亘って形成されている。また、背面部１０４の下部前面側には、その縁から一続きに形成されている外周壁部材１０３ｄに向かって三角形状のリブ部１１３が形成されている。また、上記した縦リブ部１１０ａのうちには、画像表示装置３５の荷重を支え得る強度を有したボス状の固定用突起（固定部、ボス部）１１１が一体となるように形成されているものがある。該固定用突起１１１は、該画像表示装置３５に貫通形成された孔（不図示）と対向する位置にあり、画像表示装置３５はこれらの孔を介して固定用突起１１１にネジ止めされることによって固定される。
【００５１】
背面部１０４の領域ＡＲ内で横方向に設けられている横リブ部１１０ｂには、台形形状の切り欠き部１６０が設けられており、他の縦リブ部１１０ａや領域ＡＲ以外の横リブ部１１０ｂに比してその高さが低く形成されている。これによって、パチンコ機１の完成時におけるリブ部１１０上方には間隙が形成され、該間隙内にはセンター飾り２３に搭載される各種装置に係るハーネスが引き回すことができるものとなる。さらに、該ハーネスは領域ＡＲ内に設けられた鈎針状の爪部１１２に通すように引き回され、散乱しないように結束される。
【００５２】
一方、後枠体２３ｂ上部には、吹き出し部材６３をスライド駆動するモータＭ１と、吹き出し部材６４をスライド駆動するモータＭ２と、演出用照明パネル６５をスライド駆動するモータＭ３とがそれぞれの回転軸（図示せず）を前面側に向けて配設されている。これら各モータＭ１，Ｍ２，Ｍ３は、それぞれ遊技中の演出における所定の契機にて、後述する演出制御手段９１からの信号を受け、各回転軸からギヤ列（図示せず）を介して回転を伝達し、吹き出し部材６３，６４、演出用照明パネル６５をスライド駆動させるものである。図６では、吹き出し部材６３，６４及び演出用照明パネル６５が、モータＭ１，Ｍ２，Ｍ３の回動により上部左右レール９８を伝って中央部に引き出され、それぞれが開口部３６に対して最大限に進出した状態で示されている。このとき、演出用照明パネル６５は、被ガイド部材７８が第１中段レール７９を伝って摺動し、上記進出した状態で支持され、吹き出し部材６４は、被ガイド部材９３が第２中段レール７７を伝って摺動し、上記進出した状態にて支持されている。なお、後枠体２３ｂ上部に位置し、本パチンコ機１の遊技に関連した各モータＭ１，Ｍ２，Ｍ３や不図示のギヤ列等が収納される上記した部位を装着部１６１とする。
【００５３】
また、後枠体２３ｂ下部、つまり背面部１０４下部の前面側には、リブ部１１３ｄが前面側に向けて形成されているが、該リブ部１１３ｄの奥行き方向の幅は狭く形成されている。このリブ部１１３ｄの幅が狭く形成されることにより、背面部１０４下部の前面側で且つ前枠体２３ａとの間には空間領域が形成され、該空間領域である収納部１６２が形成されることとなる。
【００５４】
ついで、吹き出し部材６３，６４及び演出用照明パネル６５の支持構造について、図８及び図９を参照して説明する。なお、図８は、図６に示す後枠体２３ｂを正面から見た状態で示す正面図、図９は、遊技盤３から取り外した状態で示す後枠体２３ｂの正面図である。
【００５５】
すなわち、図８に示すように、後枠体２３ｂは、センター飾り２３の全体における開口部３６に対応する開口部９９を有しており、この開口部３６，９９の上縁部９９ａには、装着部１６１が形成され、該装着部１６１の長手方向に延びるように上段レール９８が設けられると共に、開口部３６，９９における下縁部９９ｂと上縁部９９ａとの間には、該開口部３６，９９の左右方向に延びるように第１中段レール７９、第１中段レール９６、及び第２中段レール７７（図６参照）が設けられている。第１中段レール７９，９６は、開口部３６，９９の左右幅方向の両側に固定配置されており、第２中段レール７７は、第１中段レール７９に対して進退動作するように支持されている。吹き出し部材６３，６４及び演出用照明パネル６５は、画面３５ａを、吹き出し部材６３，６４及び演出用照明パネル６５より下側を含む開口部３６，９９の全域から露出するように、上記レール７７，７９，９６，９８によってスライド自在に支持されている。
【００５６】
つまり、図８及び図９に示すように、演出用照明パネル６５は、上段レール９８の右レール９８ｂによって上部を摺動自在に支持されると共に、第１中段レール７９によって下部を摺動自在に支持されており、吹き出し部材６３は、上段レール９８の左レール９８ａによって上部を摺動自在に支持されると共に、第１中段レール９６によって下部を摺動自在に支持されている。吹き出し部材６４は、上段レール９８の右レール９８ｂによって上部を摺動自在に支持されると共に、第２中段レール７７によって下部を摺動自在に支持されている。
【００５７】
また、第２中段レール７７における図６の紙面向かって左方には第１中段レール７９に摺動自在に係合する被ガイド部材７８が設けられている。更に、吹き出し部材６３における図８の紙面向かって左方には第１中段レール９６に摺動自在に係合する被ガイド部材９５が設けられている。この被ガイド部材９５は、前側に屈曲して突出する突出部９５ａと、該突出部９５ａにおける右端部の前端から下方に鉤状に屈曲して第１中段レール９６に摺動自在に係合する鉤部９５ｂと、突出部９５ａにおける左端部の前端から下方に鉤状に屈曲し且つ前方のカバー部材１００の裏面に弾性的に摺接する板バネ部９５ｃと、を有している。
【００５８】
上述した演出用照明パネル６５及び吹き出し部材６３は、開口部３６，９９の左右幅方向の一側（演出用照明パネル６５の場合は図８の右側、吹き出し部材６３の場合は図８の左側）から画面３５ａの前側に向けて進出し又は該一側に向けて退避するように構成されている。また吹き出し部材６４は、開口部３６，９９の左右幅方向の一側（図８の右側）から画面３５ａの前側に向けて進出し又は該一側に向けて退避するように構成されている。吹き出し部材６３，６４は、それぞれ、背面側に位置する画像表示装置３５の画面３５ａに表示されるキャラクタの台詞（セリフ）を視認可能に区画する透明パネル部６３ａ，６４ａを有している。演出用照明パネル６５は、サブタイトルを表示する表示部６５ａを有している。
【００５９】
上記左レール９８ａ及び右レール９８ｂは、それぞれ合成樹脂等のカバー部材から構成されており、これらレール９８ａ，９８ｂを取り外した状態を図８に示している。同図に示すように、カバー部材からなる左レール９８ａの内部には、吹き出し部材６３の上部に固定された被案内部材１５４と、該被案内部材１５４から連続するように一体形成されたラック１５５と、が摺動自在に収容されている。また、カバー部材からなる右レール９８ｂの内部には、演出用照明パネル６５の上部に固定された被案内部材１５８と、該被案内部材１５８から連続するように一体形成されたラック１５９と、が摺動自在に収容されている。更に、右レール９８ｂの内部におけるラック１５９の奥側には、吹き出し部材６４の上部に固定された被案内部材１５６と、該被案内部材１５６から連続するように一体形成されたラック１５７と、が摺動自在に収容されている。
【００６０】
上記被案内部材１５４，１５６，１５８及び上記ラック１５５，１５７，１５９は、それぞれ後枠体２３ｂの左右幅方向に延在するように形成されている。後枠体２３ｂの上部におけるラック１５５に対向する位置には、該ラック１５５とでラックアンドピニオン(rack and pinion)を構成するピニオン１５１が噛合するように配置され、該ピニオン１５１の奥側には、該ピニオン１５１を回転させるモータＭ１が配置されている。後枠体２３ｂの上部におけるラック１５７に対向する位置には、該ラック１５７とでラックアンドピニオンを構成するピニオン１５２が噛合するように配置され、該ピニオン１５２の奥側には、該ピニオン１５２を回転させるモータＭ２が配置されている。後枠体２３ｂの上部におけるラック１５９に対向する位置には、該ラック１５９とでラックアンドピニオンを構成するピニオン１５３が噛合するように配置され、該ピニオン１５３の奥側には、該ピニオン１５３を回転させるモータＭ３が配置されている。
【００６１】
ついで、本パチンコ機１の背面構造について図１０を参照して説明する。同図は、本パチンコ機１の背面構造を示す背面図である。
【００６２】
すなわち、図１０に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００６３】
次に、本実施形態におけるパチンコ機１の制御系を図１１に沿って説明する。なお、同図は本パチンコ機の制御系を示すブロック図である。
【００６４】
すなわち、本制御系は、遊技制御装置８０と、該遊技制御装置８０に電気的に接続された、始動チャッカー開閉ソレノイド６９、センターアタッカー開閉ソレノイド７０、右アタッカー開閉ソレノイド７１、放音装置１２、演出用照明装置１１、画像表示装置３５、賞球装置４６、演出用照明パネル６５、及びモータＭ１〜Ｍ３と、を備えている。
【００６５】
遊技制御装置８０は、図１０に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００６６】
遊技制御装置８０は、入賞判定手段８１、入賞信号出力手段８２、第１抽選手段８３、第２抽選手段８４、普通図柄抽選手段９４、遊技制御手段８６、保留手段８７、作動制御手段８８、作動判定手段８９、作動決定手段９０、演出制御手段９１、及び表示制御手段９２を備えている。
【００６７】
入賞判定手段８１は、発射ハンドル２の操作で作動する発射装置（図示せず）によって遊技領域３ａに打ち出された遊技球が第１及び第２始動チャッカー２７，２８、入賞口２５，２６、センターアタッカー４、右アタッカー５等の何れかに入賞したとき、当該入賞があった旨を判定する。
【００６８】
入賞信号出力手段８２は、入賞判定手段８１によって入賞が判定されたとき、対応する第１及び第２始動チャッカー２７，２８、入賞口２５，２６、センターアタッカー４、右アタッカー５等に入賞した旨の入賞信号を出力する。
【００６９】
第１抽選手段８３は、入賞信号出力手段８２からの第１始動チャッカー２７に対応する入賞信号の入力時、第２抽選手段８４側との合計の最大保留球数（例えば４個）未満での入賞を契機として、第１大当たり（ビッグボーナス）及び第２大当たり（レギュラーボーナス）を含む各種大当たりの何れかに当選するように、不図示の抽選用メモリから当たり当選乱数値を取得して大当たり抽選を実行する。また第２抽選手段８４は、入賞信号出力手段８２からの第２始動チャッカー２８に対応する入賞信号の入力時、第１抽選手段８３側との合計の最大保留球数（例えば４個）未満での入賞を契機として、第１大当たり及び第２大当たりを含む各種大当たりの何れかに当選するように、不図示の抽選用メモリから当たり当選乱数値を取得して大当たり抽選を実行する。本実施形態では、第１及び第２抽選手段８３，８４のいずれかで第１大当たりに当選した場合、作動制御手段８８の制御で作動する右アタッカー開閉ソレノイド７１によって右アタッカー５が、１回の開放で９個の入球（即ち９カウント）を完了した時点で閉じ、この開閉を１５回（１５ラウンド）繰り返すように動作させられる。一方、抽選手段８３，８４のいずれかで第２大当たりに当選した場合、作動制御手段８８の制御で作動するセンターアタッカー開閉ソレノイド７０によってセンターアタッカー４が、１回の開放で９個の入球（即ち、９カウント）を完了した時点で閉じ、この開閉を７回（即ち７ラウンド）繰り返すように動作させられる。
【００７０】
そして第１及び第２抽選手段８３，８４は、それぞれ、大当たり抽選で第１大当たりに当選した場合には、不図示の演出用メモリに格納された演出乱数値に基づく抽選で、変動の結果、「３３３」や「７７７」等の図柄が画面３５ａ上の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。また第１及び第２抽選手段８３，８４は、それぞれ、大当たり抽選で第２大当たりに当選した場合には、演出乱数値に基づく抽選で、変動の結果、「２２２」や「４４４」等の図柄が大当たり有効ライン上で最終的に揃う旨の変動パターンを決定し、その旨の変動パターン信号を出力する。さらに第１及び第２抽選手段８３，８４は、それぞれ、大当たり抽選で外れた場合には、演出乱数値に基づく抽選で、変動の結果、外れに対応する「２５８」や「１８６」等の図柄が大当たり有効ライン上で最終的に揃う旨の変動パターンを決定し、その旨の変動パターン信号を出力する。
【００７１】
さらに、第１及び第２抽選手段８３，８４は、上記した大当り抽選における変動パターンとは別に、吹き出し部材６３，６４及び演出用照明パネル６５を各スライド駆動させて遊技者に期待感を与えるような「特別演出」をさせるか否かの抽選を、特別演出乱数値を取得して実行する。そして、該抽選に当選した場合には、吹き出し部材６３，６４及び演出用照明パネル６５のいずれを使った特別演出、例えば吹き出し部材６３，６４を同時に画面３５ａ前面にスライド駆動させる、といった特別演出の種類を決定し、この種類を示す旨の特別演出信号を出力する。
【００７２】
普通図柄抽選手段９４は、第２始動チャッカー２８を開閉動作させるか否かの普通図柄抽選を、この普通図柄抽選の保留球数（例えば４個）の範囲内で、普通図柄作動ゲート３２への入球を契機として実行する。
【００７３】
遊技制御手段８６は、放音装置１２、演出用照明装置１１、演出用照明パネル６５、及びモータＭ１〜Ｍ３に放音、発光、スライド駆動等の演出をさせる契機となる指令を、演出制御手段９１に送る。また、遊技制御手段８６は、予め設定された演出データや、第１及び第２抽選手段８３，８４での抽選結果に応じて、画像表示装置３５の画面３５ａに表示すべき大当たり抽選に関連する演出内容に関する信号を表示制御手段９２に送る。
【００７４】
保留手段８７は、第１、第２抽選手段８３，８４のいずれかから出力された変動パターン信号を入力し、変動パターンを、第１、第２始動チャッカー２７，２８への入賞の都度に行われた抽選の結果となる保留球として順次記憶する。当該記憶状況は、特別図柄表示装置２４の大当たり抽選保留表示装置２４ａに、始動チャッカー２７，２８双方での合計が最大４個の保留球となるように点灯表示される。保留手段８７は、合計の保留球数が４個になっているか否かを常時判定し、保留球数が４個表示されている間は、第１、第２始動チャッカー２７，２８への入賞に拘わらず大当たり抽選は行わない。なお、保留球として点灯表示される保留球数は上記「最大４個」に限らず、例えば３個以下、又は５個以上として適宜設定することも可能である。
【００７５】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が４個未満となった場合、第１、第２抽選手段８３，８４で行われる第１、第２始動チャッカー２７，２８への入賞に応答した大当たり抽選の結果を保留球として記憶し、保留球数を１インクリメントする。
【００７６】
作動制御手段８８は、作動決定手段９０の作動開始決定の旨の信号に基づき、始動チャッカー開閉ソレノイド６９に駆動信号を送って該ソレノイド６９を作動させ、第２始動チャッカー２８を開閉動作させる。作動制御手段８８は、第１大当たりに当選した場合に、右アタッカー開閉ソレノイド７１に駆動信号を送り、右アタッカー５を１５ラウンドだけ開閉動作させるように制御する。また作動制御手段８８は、第２大当たりに当選した場合に、センターアタッカー開閉ソレノイド７０に駆動信号を送り、センターアタッカー４を７ラウンドだけ開閉動作させるように制御する。更に作動制御手段８８は、第１始動チャッカー２７、第２始動チャッカー２８、入賞口２５，２６、センターアタッカー４、右アタッカー５に入賞した旨の入賞信号を入賞信号出力手段８２から受けた場合、それぞれの入賞に対応する賞球数となるように賞球装置４６を作動制御する。
【００７７】
作動判定手段８９は、始動チャッカー開閉ソレノイド６９、センターアタッカー開閉ソレノイド７０、右アタッカー開閉ソレノイド７１を作動させるための条件を満たすか否かを判定する。つまり、始動チャッカー開閉ソレノイド６９にあって、第２始動チャッカー２８の開閉の「条件を満たす」時とは、普通図柄抽選手段９４での普通図柄抽選で当選した場合である。アタッカー開閉ソレノイド７０，７１のそれぞれにあって、アタッカー４，５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、閉塞の「条件を満たす」時とは、大当たり発生時の全てのラウンドにおける入賞を完了した場合である。
【００７８】
作動決定手段９０は、作動判定手段８９からの判定信号を受けて、始動チャッカー開閉ソレノイド６９、センターアタッカー開閉ソレノイド７０、右アタッカー開閉ソレノイド７１の作動開始をそれぞれに決定する。
【００７９】
演出制御手段９１は、遊技制御手段８６からの指令に応答して、放音装置１２を放音駆動し、演出用照明装置１１を発光駆動して遊技者の聴覚や視覚に訴える演出を行う。また、演出制御手段９１は、遊技制御手段８６からの指令に応答して、表示制御手段９２の制御で画面３５ａ上に表示される演出内容に対応するようにモータＭ１〜Ｍ３をそれぞれ時計方向又は反時計方向に回転駆動させる。つまり、演出制御手段９１は、画面３５ａ上に表示される、キャラクタ（例えば、本パチンコ機１のテーマに関連した種々の登場人物）が発する台詞（文字列等）を囲んで明確に区画し得るように、当該台詞に対応する位置に正確に吹き出し部材６３，６４を移動／停止するようにモータＭ１〜Ｍ３を作動制御する。その際、演出制御手段９１は、遊技制御手段８６からの指令に応答して、演出用照明パネル６５に備えた多数のＬＥＤ６５ｂを点灯及び／又は点滅させ、画面３５ａ上の表示内容に対応する演出を行う。
【００８０】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、第１及び第２抽選手段８３，８４それぞれによる各抽選結果を、遊技制御手段８６からの信号に従い、画像表示装置３５の画面３５ａを２分割した形で各表示領域にそれぞれ時系列的に演出表示し、或いは、双方の表示領域を一体に使用した形で時系列的に演出表示する。
【００８１】
また、始動チャッカー開閉ソレノイド６９は、作動制御手段８８から送信された駆動信号に応答してプランジャ（図示せず）を進退動作させて、第２始動チャッカー２８を開閉動作させる。アタッカー開閉ソレノイド７０，７１は、それぞれ、作動制御手段８８から送信された駆動信号に応答してプランジャ（図示せず）を進退動作させて、各アタッカー４，５を開閉動作させる。
【００８２】
放音装置１２は、演出制御手段９１の制御に従ってスピーカー（図示せず）を駆動させ、演出に応じた効果音を発する。演出用照明装置１１は、演出制御手段９１の制御に従ってその内蔵する電飾ランプ（図示せず）を発光駆動（点灯、点滅）させ、演出に応じた照明を行う。画像表示装置３５は、表示制御手段９２の制御に従って作動し、演出データや第１、第２抽選手段８３，８４での抽選結果に応じた演出表示を行う。
【００８３】
賞球装置４６は、作動制御手段８８により作動制御されて、第１始動チャッカー２７、第２始動チャッカー２８、入賞口２５，２６、センターアタッカー４、右アタッカー５それぞれへの入賞に対応する賞球数を供給する。
【００８４】
次に、本パチンコ機１による作用について、図１２のフローチャートを併せて参照しつつ説明する。すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、第１、第２始動チャッカー２７，２８や入賞口２５，２６に適時入賞し、或いは、これらに関与せずに転動落下して、遊技領域３ａ最下部のアウト口６６から遊技盤３背面側に排出される。
【００８５】
遊技領域３ａに打ち出された遊技球の一部がワープ導入口３７に入球すると、その遊技球は、案内路４２に案内されて放出口４４から放出され、第１案内路４８、凹部５４、太鼓橋状ブリッジ４９、凹部５４を通って凹部５５に至り、更に第２案内路５７に転動して、太鼓橋状ブリッジ４９下方の上記振り分け路（図示せず）で進路を振り分けられる。その結果、落下孔５８に落下した遊技球は、放出口６７から放出されて、高い入賞確率（略１００％）で第１始動チャッカー２７に入賞する。この遊技球は、殆どの場合、第１始動チャッカー２７に入賞することになるが、障害釘３０（図１，２参照、図４には不図示）への当接状況によっては入賞できないこともある。
【００８６】
一方、傾斜面６１側に振り分けられた遊技球は、傾斜湾曲面６２から第１始動チャッカー２７とは異なる方向にステージＳ下方に落下するが、場合によっては、障害釘３０の左右に打ち込まれた所謂ジャンプ釘（図示せず）や、このジャンプ釘から左右方向に配列された道釘（図示せず）で弾き返されることで、障害釘３０に絡んでその間を落下して第１始動チャッカー２７に入賞することもある。
【００８７】
ところで、第１及び第２始動チャッカー２７，２８や入賞口２５，２６の何れかに遊技球が入賞した場合には、入賞判定手段８１が当該入賞を判定し、且つ入賞信号出力手段８２が入賞信号を出力する（ステップＳ２）。この際、保留手段８７は、保留している変動パターンに係る信号を、遊技制御手段８６を介して表示制御手段９２に順次送信し、変動パターン信号の送信に応じて保留球数を１デクリメントする。また保留手段８７は、当該保留球の消費に応じて、第１、第２抽選手段８３，８４で行われる第１及び第２始動チャッカー２７，２８への入賞に応じた大当たり抽選の結果を保留球として記憶し、保留球数を１インクリメントする。
【００８８】
ステップＳ３において、大当たり抽選で当選した場合、第１、第２抽選手段８３，８４のうち該当する側が当たりフラグをオンすると、演出用メモリに格納された演出乱数値に基づく抽選で、大当たりの種別、つまり第１大当たりにおける確変当たり態様か通常当たり態様、或いは、第２大当たりにおける確変当たり態様か通常当たり態様のいずれかに対応する変動パターンが決定される。
【００８９】
これにより、ステップＳ４において、画像表示装置３５に表示されるべき当たり図柄がセットされ、第１抽選手段８３又は第２抽選手段８４は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、第１抽選手段８３又は第２抽選手段８４は、その旨の変動パターン信号を出力すると共に、図柄変動禁止フラグをオンし、図柄変動タイマをセットし、変動パターン信号の送信に応じて保留球数を１デクリメントする。
【００９０】
以上のようにして、遊技制御手段８６が、画像表示装置３５に表示すべき演出内容に関する信号を、表示制御手段９２に送信することに基づき、表示制御手段９２は、画像表示装置３５を適時駆動し、大当たり抽選結果に関する内容等を、遊技者の視覚に訴えるように演出表示することとなる（ステップＳ５）。
【００９１】
そして、前述したステップＳ５において、画面３５ａ上に表れた抽選結果が大当たり決定である場合には、作動制御手段８８は、作動決定手段９０の作動開始決定の旨の信号に基づき、所定のタイミングでセンターアタッカー開閉ソレノイド７０又は右アタッカー開閉ソレノイド７１に駆動信号を送り、当該ソレノイド７０又は７１を作動させてセンターアタッカー４又は右アタッカー５を開放し、所定数入賞が終了する（又は所定時間が経過する）毎に閉塞する動作を所定ラウンドだけ繰り返させる。これにより、センターアタッカー４又は右アタッカー５に入賞した遊技球に対応する多量の遊技球が、球供給口１７から皿ユニット１６に払い出されることとなる（ステップＳ６）。
【００９２】
ついで、本パチンコ機１におけるセンター飾り２３の組み付け工程について説明する。
【００９３】
すなわち、前枠体２３ａは、その上部前面や下部背面に、照明装置３１を構成する発光素子基板１１７やステージＳ等の各種部材が取り付けられることによって組み上げられる。一方、後枠体２３ｂは、その上部前面側に背面部１０４と一体に形成される装着部１６１が形成されており、該装着部１６１にはモータＭ１〜Ｍ３や吹き出し部材６３，６４等の遊技に係る装着部材が取り付けられる。そして、該後枠体２３ｂには、その背面に形成された固定用突起１１１に対して画像表示装置３５がネジ止めされて配設され、さらに、下部前面側には、外周壁部材１０３ｄの奥行き方向の幅が狭く形成されることによって、ステージＳ等の被装着部材を収納する収納部１６２が設けられた状態となっている。
【００９４】
上記のように組み上げられた前枠体２３ａは、ブラケット部８に形成された孔８ａにて遊技盤３前面の所定位置に位置決めされ、ネジ止めされることで遊技盤３に組み付けられる。また、後枠体２３ｂは、遊技盤３の背面側に設けられた凹部と後枠体２３ｂの前面に設けられた突起部とで位置合わせされ、そのまま左右の張出し部１０２に配設されたネジ挿入孔１０２ａからネジ止めされることによって遊技盤３に組み付けられる。
【００９５】
このとき、後枠体２３ｂには、背面部１０４の背面側に格子状の縦リブ部１１０ａと横リブ部１１０ｂとが設けられていることによって、画像表示装置３５の荷重によるねじれや歪みに耐え得る強度を有するものとなっている。また、前枠体２３ａの下部に取り付けられたステージＳ等の遊技に係る装着部材が、遊技盤３の前側から開口部をくぐらせるように配置されることによって、後枠部２３ｂ下部に設けられた収納部１６２の空間領域内に収納される。後枠部２３ｂは、その左右側に設けられた張出し部１０２によって遊技盤３に組み付けられる構造となっていることにより、その上部及び下部には、装着部１６１や収納部１６２等の比較的大きな各種部材の配設・配置領域を形成させることができるものとなる。
【００９６】
また、上記後枠体２３ｂの組み付けを行う際には、装着部１６１に装着されたモータＭ１〜Ｍ３やＬＥＤ６５ｂ等の電気的部材間を結線するハーネスが、領域ＡＲ内の横リブ部１１０ｂに形成された切り欠き部１６０に介され、爪部１１２によって結束されることで配置される。該切り欠き部１６０は、背面部１０４の右側で且つ上端と下端とが一続きとなった右側平面上の中央部近傍、つまり固定用突起１１１の形成された縦リブ部１１０ａと、該リブ部１１０ａに最も近い側の背面部１０４の縁（例えば図６における外周壁部材１０３ａの手前側の位置）に設けられた縦リブ部１１０ａとの間に、上下方向に直線状に並ぶように配設されている。
【００９７】
ここで、遊技盤３背面に後枠部２３ｂが組み付けられた際、画像表示装置３５の荷重によって固定用突起１１１近傍では下側に向う応力が強く加わり、後枠体２３ｂをネジ止めにて支持している張出し部１０２のネジ挿入孔１０２ａ近傍では上側に向う応力が強く加わる。このような場合、これらの応力が加わる位置の左右幅方向における中央部に近くなる程応力が加わりにいものとなり、ねじれや歪み等が抑えられるものとなる。したがって、前述の切り欠き部１６０が配設された位置は、背面部１０４の右側平面における中央部近傍に位置することにより、上記したような応力による負荷が少ない面位置となるため、横リブ部１１０ｂの高さを低くするような切り欠き部１６０を形成させるのに適したものとなる。
【００９８】
このように、切り欠き部１６０が上記したような背面部１０４に形成されることにより、後枠体２３ｂの背面側におけるハーネス等の引き回し作業を容易化できると共に、組み付け後においてハーネスが結束された状態となるため、センター飾り２３の背面における保守・点検作業を行い易くすることができる。
【００９９】
なお、本実施の形態では、センターアタッカー４及び右アタッカー５として２つのアタッカーを備えたパチンコ機１について説明したが、本発明は、このようなパチンコ機に限らず、アタッカーを１つのみ備えたパチンコ機にも適用し得ることは勿論である。
【０１００】
以上説明した本実施の形態においては、パチンコ機１に、前枠体２３ａ及び後枠体２３ｂからなるセンター飾り２３を備えさせ、該後枠体２３ｂに、一対の張出し部１０２と、該張出し部１０２に外周壁部材１０３ａ，１０３ｃを介して連結する背面部１０４と、背面部１０４の上側部分で構成される装着部１６１と、背面部１０４の背面で画像表示装置３５を固定する固定用突起１１１と、該画像表示装置３５を露出する開口部１０５と、背面部１０４の下側部分にて前枠体２３ａとの間に装着されるステージＳ等の被装着部材を収納し得る収納部１６２と、を有するようにする。このように、後枠体２３ｂを、左右端部の張出し部１０２にて遊技盤３に固定するような構造とすることにより、後枠体２３ｂの上部及び下部に、パチンコ機１の遊技に関する各種部材を配設できるような装着部１６１や収納部１６２等のまとまった空間領域を形成することができるようになる。
【０１０１】
また、正面視におけるセンター飾り２３の大きさ（つまり前枠体２３ａの大きさ）は変えずに、遊技盤３背面側の後枠体２３ｂ内方における空間容量を増大させることができることにより、該後枠体２３ｂに対して遊技に係る各種部材を配設させることができるような装着部１６１や収納部１６２等を形成することができるようになる。これにより、従来において遊技盤３背面側に配設させることが困難とされた大きさの各種の部材を配設させることができると共に、通常であれば前枠体２３ａに配設させるような各種部材を後部側の後枠体２３ｂに配設するように設計変更できるなど、センター飾り２３における設計の幅を広げることができるものとなる。
【０１０２】
また、張出し部１０２が、遊技盤３背面における左右端部近傍にて固定されるので、後枠体２３ｂを、遊技盤３の左右幅一杯の大きさに形成して固定させることができ、その左右幅全体を用いた空間領域を形成することができる。
【０１０３】
また、背面部１０４が、その背面に格子状に配設される縦リブ部１１０ａ及び横リブ部１１０ｂを有してなるので、後枠体２３ｂを構成する背面部１０４の強度を増すことができ、後枠体２３ｂにおけるねじれや歪み等を抑制することができるようになる。
【０１０４】
また、固定用突起１１１が、画像表示装置３５における被固定部とネジ止めされるボス部からなり、該ボス部が、縦リブ部１１０ａのいずれかと一体に形成されてなるので、固定用突起１１１を、画像表示装置３５と固定させ易いボス形状として形成できると共に、該ボス形状の固定用突起１１１の荷重強度を増加させ、画像表示装置３５を堅固に固定させることができるようになる。
【０１０５】
また、切り欠き部１６０が、背面部１０４の右側で且つ上端と下端とが一続きとなった右側平面上の中央部近傍、つまり固定用突起１１１の形成された縦リブ部１１０ａと、該リブ部１１０ａに最も近い側の背面部１０４の縁に設けられた縦リブ部１１０ａとの間に、上下方向に直線状に並ぶように配設されている。これにより、応力集中が生じない右側平面上の領域における横リブ部１１０ｂの高さを低くする切り欠き部１６０を形成させることができるようになる。これにより、該切り欠き部１６０がなす空間領域にハーネスを通すなど、組み付け時における空間領域を節約できると共に、組み付けや保守・点検の作業を行い易くすることができるようになる。
【０１０６】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【０１０７】
【図１】本実施形態におけるパチンコ機の外部構造を示す正面図である。
【図２】本パチンコ機に備えた遊技盤を単体で示す正面図である。
【図３】吹き出し部材や照明パネルを画像表示装置の画面前側に進出させた状態の遊技盤を示す正面図である。
【図４】遊技盤を右斜め上方から見下ろした状態で示す斜視図である。
【図５】図３のＡ−Ａ線に沿って断面した状態で示す遊技盤の平面断面図である。
【図６】遊技盤に配設された状態における後枠体を背面側から見た状態で示す背面図である。
【図７】後枠体における背面の一部を示すもので、（ａ）は背面部の右側部を示す概略斜視図、（ｂ）は（ａ）の矢印Ｘ１方向から見た手前側の横リブ部の概略正面図である。
【図８】図６に示す後枠体を正面から見た状態で示す正面図である。
【図９】遊技盤から取り外した状態で示す後枠体の正面図である。
【図１０】本パチンコ機の背面構造を示す背面図である。
【図１１】本パチンコ機の制御系を示すブロック図である。
【図１２】本パチンコ機による作用を説明するためのフローチャートである。
【符号の説明】
【０１０８】
１    遊技機（パチンコ機）
３    遊技盤
３ａ    遊技領域
２３    ユニット役物（センター飾り）
２３ａ  前枠部（前枠体）
２３ｂ  後枠部（後枠体）
３５    図柄表示装置（画像表示装置）
３５ａ  画面
１０２  鍔部（張出し部）
１０３ａ  立ち上がり部（外周壁部材）
１０３ｃ  立ち上がり部（外周壁部材）
１０４  枠部（背面部）
１０５  開口部
１１０  リブ（リブ部）
１１０ａ  リブ（縦リブ部）
１１０ｂ  リブ（横リブ部）
１１１  固定部（固定用突起）、ボス部（固定用突起）
１６０  切り欠き部
１６１  装着部
１６２  収納部
Ｂａ    遊技球
Ｍ１    モータ
Ｓ    ステージ、被装着部材（ステージ）
【図１】
2007222512.tif 000003
【図２】
2007222512.tif 000004
【図３】
2007222512.tif 000005
【図４】
2007222512.tif 000006
【図５】
2007222512.tif 000007
【図６】
2007222512.tif 000008
【図７】
2007222512.tif 000009
【図８】
2007222512.tif 000010
【図９】
2007222512.tif 000011
【図１０】
2007222512.tif 000012
【図１１】
2007222512.tif 000013
【図１２】
2007222512.tif 000014